(57)【要約】共通のフィルタによるＴＤＭＡ電話通信の送受信システムは、同調型強誘電性帯域通過フィルタ（ＦＥ  ＢＰＦ）（１０４）、コントローラ（１０６）、ローノイズアンプ（ＬＮＡ）（１１０）、およびパワーアンプ（ＰＡ）（１１２）を備える。ＦＥ  ＢＰＦ（１０４）は、コントローラ（１０６）からの同調電圧信号を受け取るための制御入力（１０８）および２つの信号ポート（１２６、１１６）を有する。この同調電圧信号に応じて、ＦＥ  ＢＰＦは信号ポート間の伝送または受信周波数通過帯域を選択する。無線装置（１０２）において、ＦＥ  ＢＰＦの第１の信号ポート（１１６）は、ＬＮＡ（１１０）およびＰＡ（１１２）に接続され、ＦＥ  ＢＰＦの第２の信号ポート（１２６）は、アンテナ（１２５）に接続される。ＬＮＡ（１１０）およびＰＡ（１１２）は、制御信号（１１８、１２２）に応じて、コントローラ（１０６）により活性化および非活性化される。
2006526951.tif 000002
【特許請求の範囲】
【請求項１】
共通のフィルタによる時分割多重アクセス（ＴＤＭＡ）電話通信の送受信方法であって、
複数の伝送周波数帯および受信周波数帯を選択的に、時間交互にフィルタリングするステップであって、伝送帯域の周波数が受信帯域の周波数と異なる、ステップと、
第１の伝送周波数帯域の通信を伝送するステップと、
第１の受信周波数帯域の通信を受信するステップと、
を含む、送受信方法。
【請求項２】
複数の伝送周波数帯および受信周波数帯を選択的に、時間交互にフィルタリングするステップが、
複数の異なる伝送周波数帯域の中から第１の伝送周波数帯域を通過させるためのフィルタリングを行うステップと、
複数の異なる受信周波数帯域の中から第１の受信周波数帯域を通過させるためのフィルタリングを行うステップと、
を含む、請求項１に記載の方法。
【請求項３】
同調電圧信号を受信するステップをさらに含み、選択的にフィルタリングするステップが、同調電圧信号に応じて伝送および受信周波数帯域をフィルタリングするステップを含む、請求項２に記載の方法。
【請求項４】
制御信号を受信するステップと、
前記制御信号に応じて、前記第１の伝送周波数帯域で伝送する通信を増幅するステップと、
前記制御信号に応じて、前記第１の受信周波数帯域で受信した通信を増幅するステップと、
を含む、請求項３に記載の方法。
【請求項５】
同調電圧信号を受信するステップが、バイアス電圧を受信するステップを含み、
伝送および受信周波数帯域をフィルタリングするステップが、
誘電体分離フィルタ共振要素に電場を形成するステップと、
前記バイアス電圧に応じて誘電率を変化させるステップと、
前記誘電率の変化に応じて共振周波数を調整するステップと、
を含む、請求項４に記載の方法。
【請求項６】
前記誘電率の変化に応じて共振周波数を調整するステップが、容量を調整するステップを含む、請求項５に記載の方法。
【請求項７】
無線通信装置における共通のフィルタによる時分割多重アクセス（ＴＤＭＡ）電話通信の送受信方法であって、
同調電圧信号に応じて伝送共振周波数を調整するステップ、
調整された前記伝送共振周波数帯域での通信を伝送するステップと、
同調電圧信号に応じて前記伝送周波数帯域内のフィルタ処理を停止するステップと、
同調電圧信号に応じて前記伝送周波数とは異なる受信共振周波数を調整するステップと、
調整された前記受信共振周波数帯域での通信を受信するステップと、
を含む、送受信方法。
【請求項８】
共通のフィルタによる時分割多重アクセス（ＴＤＭＡ）電話通信の送受信方法であって、
受信器の周波数通過帯域とは異なる伝送器の周波数通過帯域および前記受信器の周波数通過帯域を形成するために選択的にフィルタリングするステップと、
第１の時間に、前記伝送器の周波数通過帯域でのフィルタリングされた通信を伝送するステップと、
前記第１の時間とは異なる第２の時間に、前記受信器の周波数通過帯域での通信を受信するステップと、
を含む、送受信方法。
【請求項９】
共通のフィルタによる時分割多重アクセス（ＴＤＭＡ）電話通信の送受信システムであって、
同調電圧信号を受ける制御入力と、第１の信号ポートおよび第２の信号ポートとを備え、前記同調電圧信号に応じて前記信号ポート間に選択可能な周波数通過帯域を供給する、同調型強誘電性帯域通過フィルタ（ＦＥ  ＢＰＦ）と、
前記ＦＥ  ＢＰＦに同調電圧信号を供給するための出力を備えたコントローラと、
を備える、送受信システム。
【請求項１０】
増幅器制御信号を受けるための制御入力、前記ＦＥ  ＢＰＦの第１の信号ポートに接続された入力、および出力を備えたローノイズアンプ（ＬＮＡ）と、
増幅器制御信号を受けるための制御入力、入力、および前記ＦＥ  ＢＰＦの第１の信号ポートに接続された出力を備えたパワーアンプ（ＰＡ）と、
をさらに備える、請求項９に記載のシステム。
【請求項１１】
前記コントローラが、
活性化および非活性化制御信号を前記ＬＮＡに供給する出力と、
活性化および非活性化制御信号を前記ＰＡに供給する出力と、を備え、
前記ＬＮＡは、ＬＮＡ活性化制御信号に応じて前記ＦＥ  ＢＰＦが供給した通信を増幅し、またＬＮＡ非活性化制御信号に応じて非活性化し、
前記ＰＡは、ＰＡ活性化制御信号に応じて前記ＦＥ  ＢＰＦの伝送のための信号を増幅し、またＰＡ非活性化制御信号に応じて非活性化する、請求項１０に記載のシステム。
【請求項１２】
前記ＦＥ  ＢＰＦが、
前記同調電圧信号に応じた誘電率を有する強誘電性物質を含む第１の可変容量コンデンサと、
固定インダクタンスを有する第１の共振器と、を備え、
前記ＦＥ  ＢＰＦは、前記第１のコンデンサおよび前記第１の共振器に応じた周波数で共振する、請求項１１に記載のシステム。
【請求項１３】
前記ＦＥ  ＢＰＦが、
前記同調電圧信号に応じた誘電率を有する強誘電性物質を含む第２の可変容量コンデンサと、
固定インダクタンスを有する第２の共振器と、を備え、
前記ＦＥ  ＢＰＦは、前記第２のコンデンサおよび前記第２の共振器に応じた周波数で共振する、請求項１２に記載のシステム。
【請求項１４】
前記第１および第２のコンデンサが、約マイナス５０℃乃至１００℃の温度範囲内で作動した場合に約８０以上のＱ（ｑｕａｌｉｔｙ  ｆａｃｔｏｒ）を有する、請求項１３に記載のシステム。
【請求項１５】
前記第１の共振器が容積共振器である、請求項１２に記載のシステム。
【請求項１６】
前記容積共振器が、モノブロック、ストリップライン、マイクロストリップ、および同軸誘電体を搭載した共振器からなる群の１つの構成要素である、請求項１５に記載のシステム。
【請求項１７】
前記ＦＥ  ＰＢＦが同調型共振器を備え、
前記同調型共振器は、前記同調電圧信号に応じた誘電率を有する強誘電性物質を含む第１の可変容量コンデンサを備え、
前記ＦＥ  ＢＰＦは、前記同調型共振器に応じた周波数で共振する、請求項１１に記載のシステム。
【請求項１８】
前記同調型共振器が、モノブロック、ストリップライン、マイクロストリップ、および同軸誘電体を搭載した共振器からなる群の１つの構成要素である、請求項１７に記載のシステム。
【請求項１９】
無線通信装置における共通のフィルタによる時分割多重アクセス（ＴＤＭＡ）電話通信の送受信システムであって、
同調電圧信号および増幅器制御信号を供給する出力を備えたコントローラと、
同調電圧信号を受ける制御入力と、第１の信号ポートおよび第２の信号ポートとを備え、前記同調電圧信号に応じて前記信号ポート間に伝送および受信通過帯域を供給する、同調型強誘電性帯域通過フィルタ（ＦＥ  ＢＰＦ）と、
増幅器制御信号を受けるための制御入力、前記ＦＥ  ＢＰＦの第１の信号ポートに接続された入力、および出力を備えたローノイズアンプ（ＬＮＡ）と、
増幅器制御信号を受けるための制御入力、入力、および前記ＦＥ  ＢＰＦの第１の信号ポートに接続された出力を備えたパワーアンプ（ＰＡ）と、を備え、
前記ＬＮＡは、ＬＮＡ活性化制御信号に応じて前記ＦＥ  ＢＰＦが供給した通信を増幅し、またＬＮＡ非活性化制御信号に応じて非活性化し、
前記ＰＡは、ＰＡ活性化制御信号に応じて前記ＦＥ  ＢＰＦの伝送のための信号を増幅し、またＰＡ非活性化制御信号に応じて非活性化する、送受信システム。
【発明の詳細な説明】
【技術分野】
【０００１】
本発明は、概して無線電話通信に関し、より詳しくは、時分割多重アクセス（ＴＤＭＡ）送受信に共通のフィルタを使用するためのシステムおよび方法に関する。
【背景技術】
【０００２】
図５は、半二重通信を送受信する無線通信装置における自動スイッチ、伝送（ｔｒａｎｓｍｉｔ）帯域通過フィルタ、および受信帯域通過フィルタを示す概略ブロック図である（従来技術）。図５に示すように、半二重通信を送受信する無線装置は、フィルタリング仕様を満たすために、概して固定同調Ｔｘ帯域通過フィルタ（ＢＰＦ）および固定同調Ｒｘ  ＢＰＦを有する。現在のシステムアーキテクチャでは、Ｔｘ  ＢＰＦおよびＲｘ  ＢＰＦがＴｘまたはＲｘそれぞれのシステムの帯域のいずれかの領域でのＴｘまたはＲｘの単一チャンネルのいずれかの動作に対応するために、それぞれが十分な帯域を有することが余儀なくされている。
【０００３】
これらの固定同調フィルタは、最も低い挿入損失（ＩＬ）を達成しながらも、同時に特定の帯域外除去および小型化を達成するという矛盾した目的を有する。ＴｘおよびＲｘシステムの通過帯域の全帯域にわたる選択性は、比較的複雑なＴｘおよびＲｘフィルタを使用することで得られる。すなわち、フィルタの次数（共振器の数）が、比較的重要である。従来は個々の同軸共振器要素またはモノブロックで構成される高次（二次以上）の固定同調フィルタが用いられている。複雑なＴｘおよびＲｘ  ＢＰＦは、無線装置にマイナスの影響を与える。第一に、高次のフィルタを使用することで、より迅速にフィルタのＩＬが増加する。すなわち、フィルタ内の共振器の数が増加するほど、フィルタはより多くの損失を伴うようになる。さらに、帯域外の除外仕様を満足させるために、伝送ゼロが通常必要であり、帯域端でＩＬが増加するという不利な点を伴う。第二に、フィルタ内の共振器の数を増加させることで、フィルターの製造コストが高くなる。セラミックおよび製造許容度の変化のために、製造者は固定同調フィルタの特性をそれらの製造時に個々に調整しなければならず、さらにコストを増加させる。第三に、フィルタが複雑になるほど、無線装置内にはより多くの空間が必要になる。最後に、機能を増強しながらより小型の装置を製造するという要求によって、装置内の構成要素の数または大きさあるいはその両方を減じる必要が生じる。しかし、フィルタの数または大きさを増加させれば、減じうる無線装置の大きさを制限するか、または他の構成要素のための無線装置内の利用可能な空間を制限する可能性がある。
【０００４】
また、固定同調ＢＰＦもＢＰＦを含む無線装置用の使用可能なアプリケーションを制限してしまう可能性もある。例えば、米国、韓国およびインドなどの異なる地理的領域におけるＰＣＳ帯域は、異なる周波数帯域仕様を有する。従って、複数のＰＣＳ周波数帯域が無線装置でサポートされていれば（例えば、その無線装置が上述の国のうちの複数の国で使用可能であれば）、多重固定同調ＢＰＦが必要になり、上述の不利な点をさらに悪化させる。その無線装置で使用するパワーアンプおよびローノイズアンプがこれらの多重帯域を操作するに十分な帯域幅を有していたとしても、このような多重ＢＰＦが必要になる。
【０００５】
半二重通信を送受信する無線装置におけるフィルタ通過帯域の幅を減じることができれば、有益となる。
【発明の開示】
【課題を解決するための手段】
【０００６】
本発明は、時分割多重アクセス（ＴＤＭＡ）電話通信における帯域通過フィルタリングを対象としているが、無線通信のあらゆる半二重システムに適用可能である。本発明では、高次（二次以上）の固定同調伝送（Ｔｘ）および受信（Ｒｘ）帯域通過フィルタ（ＢＰＦ）が、通常ＴＤＭＡ電話通信で送受信する無線装置で使用されると、認識する。本発明では、高次のＴｘおよびＲｘ  ＢＰＦが信号伝電力損失を伴い、製造コストが高くなり、空間的要件が増加すると、さらに認識する。本発明は、ＴＤＭＡ電話通信を送受信する無線装置において、Ｔｘ  ＢＰＦおよびＲｘ  ＢＰＦの両方を単一同調型強誘電性ＢＰＦ（ＦＥ  ＢＰＦ）に置き換えることでこれらの問題に対処する。単一ＦＥ  ＢＰＦの使用によって、必要な通過帯域の幅を減じることが可能になり、次いで必要なフィルターの次数を減じることができる。
【０００７】
その点を考慮して、共通のフィルタによるＴＤＭＡ電話通信の送受信システムを開示する。本システムは、同調型ＦＥ  ＢＰＦ、コントローラ、ローノイズアンプ（ＬＮＡ）、およびパワーアンプ（ＰＡ）を備える。ＦＥ  ＢＰＦは、２つの信号ポートおよびコントローラからの同調電圧信号を受け取るための制御入力を有する。同調電圧信号に応じて、ＦＥ  ＢＰＦは、信号ポート間のＴｘまたはＲｘ周波数通過帯域を選択する。無線装置において、ＦＥ  ＢＰＦの第１の信号ポートは、ＬＮＡおよびＰＡに接続され、ＦＥ  ＢＰＦの第２の信号ポートは、アンテナに接続される。コントローラはまた、活性化および非活性化制御信号も供給する。活性化制御信号に応じて、ＬＮＡは、無線装置の送受信器によって受信され、ＦＥ  ＢＰＦによってフィルター処理された通信を増幅する。活性化制御信号に応じて、ＰＡは、ＦＥ  ＢＰＦによってフィルタ処理し、無線装置からの伝送するために、無線装置で発生した通信を増幅する。コントローラは、ＴｘおよびＲｘの通過帯域の選択とＬＮＡおよびＰＡの機能を同調させる。例えば、無線装置が通信を受信した場合、Ｒｘ通過帯域が選択され、ＬＮＡが活性化され、ＰＡは非活性化される。
【０００８】
上述のシステムの追加的な詳細、および共通のフィルタによるＴＤＭＡ電話通信の送受信方法を以下に示す。
【発明を実施するための最良の形態】
【０００９】
図１は、本発明による共通のフィルタによる時分割多重アクセス（ＴＤＭＡ）電話通信の送受信システム１００を示す、概略ブロック図である。システム１００は、ＴＤＭＡ規格を使用し、送受信装置１０３を備えた無線通信装置１０２に適用可能である。しかし、システム１００は、電話通信だけに制限されず、あらゆる半二重通信システムで使用するためのアプリケーションを有する。システム１００は、制御入力、第１の信号ポート、および第２の信号ポートを備えた同調型強誘電性帯域通過フィルタ（ＦＥ  ＢＰＦ）１０４を備える。コントローラ１０６は、同調電圧信号を供給するためにライン１０８上にＦＥ  ＢＰＦ１０４に接続された出力を有する。ＦＥ  ＢＰＦ１０４は、ライン１０８上で受信した制御信号に応じて、交互に伝送（Ｔｘ）および受信（Ｒｘ）通過帯域を選択する。
【００１０】
図２は、通信装置においてＴＤＭＡ電話通信を送受信するためにＴｘおよびＲｘチャンネルを提供する本発明のシステムの使用の一例を示すグラフである。図２において、水平軸は周波数であり、垂直軸は無単位の信号の大きさである。どちらの軸にも目盛りは付されていない。一般に、単一のチャンネル通過帯域を提供する低次単一同調型ＢＰＦは、高次（二次以上）の固定同調ＴｘおよびＲｘ  ＢＰＦを置き換えることができ、この場合、固定同調ＢＰＦは単一チャンネルの送受信に必要な帯域幅よりも大きいモバイル帯域幅をカバーする。すなわち、ＦＥ  ＢＰＦは、単一チャンネルのＴｘまたはＲｘ通過帯域をＴｘまたはＲｘモバイル帯域内のどこかに確立することによって、関連する全帯域をカバーするように同調させることができる。特に、ＦＥ  ＢＰＦ１０４は、図５に示される広域帯固定同調ＴｘおよびＲｘ  ＢＰＦを置き換えることができる。固定同調ＴｘおよびＲｘ  ＢＰＦは、それぞれ少なくとも６０ＭＨｚのモバイル帯域幅であり、単一ＴＤＭＡＴｘまたはＲｘチャンネルは、より狭いわずか３０ＫＨｚの帯域幅である。ＥＦ  ＢＰＦ１０４は、無線装置１０２との電話通信に対応するために、それぞれ６０ＭＨｚのＴｘおよびＲｘのモバイル帯域内のどこかでＴｘおよびＲｘの３０ＫＨｚの単一チャンネル帯域幅で時間交互に同調することができる。これらの単一チャンネルをＴｘおよびＲｘモバイル帯域の全域にわたって作成してＴｘおよびＲｘ  ＢＰＦの機能を複製することによって、ＦＥ  ＢＰＦ１０４はＴｘおよびＲｘ  ＢＰＦを置き換えることができる。ＦＥ  ＢＰＦ  １０４は、概して一次または二次のフィルタであり、概して所与の共振器の大きさおよびタイプに対する挿入損失（ＩＬ）が、図５のＴｘ  ＢＰＦおよびＲｘ  ＢＰＦのような高次設計の固定同調ＢＰＦよりも低い。図２は、モバイルＴｘ帯域内の適時の第１の時点における代表的な１個のＴｘチャンネル通過帯域および第１の時点とは異なるモバイルＲｘ帯域内の適時の第２の時点における代表的な１個のＲｘチャンネル通過帯域を示す。
【００１１】
システム１００はまた、ローノイズアンプ（ＬＮＡ）１１０およびパワーアンプ（ＰＡ）１１２も備える。ＬＮＡ１１０は、ライン１１６上で第１のＦＥ  ＢＰＦ信号ポートに接続された入力と、ライン１１８上でコントローラ１０６に接続された制御入力と、ライン１２０に接続された出力とを有する。ＰＡ１１２は、ライン１１６上で第１のＦＥ  ＢＰＦ１０４の信号ポートに接続された出力と、ライン１２２上でコントローラ１０６に接続された制御入力と、ライン１２４に接続された入力とを有する。コントローラ１０６は、ライン１１８および１２２に活性化および非活性化制御信号を供給する。第２のＦＥ  ＢＰＦ  １０４の信号ポートは、ライン１２６上でアンテナ１２５に接続される。
【００１２】
コントローラ１０６は、同調電圧信号を通じたシステム１００の動作と活性化および非活性化制御信号を同調させる。以下の手順は、システム１００の動作を示す。他の手順も可能であると理解されたい。通信信号を受信する送受信装置１０３に応じて、コントローラ１０６は、ＦＥ  ＢＰＦ１０４において受信した通信に対して適切な単一チャンネルのＲｘ通過帯域を選択する同調電圧信号をライン１０８上に供給する。アンテナ１２５は、受信した通信をライン１２６上のＦＥ  ＢＰＦ１０４に供給し、ＦＥ  ＢＰＦ１０４はその通信をフィルタ処理し、ＦＥ  ＢＰＦ１０４はフィルタ処理した通信をライン１１６上に供給する。コントローラ１０６はまた、ＬＮＡ１１０を活性化する活性化制御信号をライン１１８上に供給し、ＰＡ１１２を非活性化する非活性化制御信号をライン１２２上に供給する。ＬＮＡ１１０は、ライン１１６上の通信を増幅し、増幅した通信をライン１２０上の無線装置１０２に供給する。
【００１３】
送受信装置１０３による伝送に対するライン１２４上の無線装置１０２からの通信を受信するＰＡ１１２に応じて、コントローラ１０６は、ＰＡ１１２を活性化する活性化制御信号をライン１２２上に供給し、ＬＮＡ１１０を非活性化する非活性化制御信号をライン１１８上に供給する。ＰＡ１１２は、ライン１１６上のＦＥ  ＢＰＦ  １０４に増幅した通信を供給する。コントローラ１０６は、ライン１１６上の増幅した通信に対して適切な単一チャンネルＴｘ通過帯域を選択する同調電圧信号をライン１０８上のＦＥ  ＢＰＦ１０４に伝送する。この例では、ＦＥ  ＢＰＦ１０４によって発生する単一チャンネル通過帯域は、上述のＲｘチャンネルの周波数から、ライン１２４上のＰＡ１１２が受け取る通信に必要なＴｘチャンネルの周波数に移動される。ＦＥ  ＢＰＦ１０４は、通信をフィルター処理し、ライン１２６上でアンテナ１２５による伝送のためにフィルター処理した通信を供給する。
【００１４】
一次のＦＥ  ＢＰＦ１０４は、可変容量コンデンサおよび共振器（図示せず）を用いて使用することができる。この可変容量コンデンサは、ライン１０８上の同調電圧に応じた可変誘電率を有する強誘電性物質を用いて構成される。この共振器は、固定インダクタンスを有する。ＦＥ  ＢＰＦ１０４は、コンデンサおよび共振器に応じた周波数で共振する。コンデンサの容量は、同調電圧に応答する強誘電性物質の誘電率を変化させることによって調整される。コンデンサの容量を調整することで、共振器の共振周波数が（従って、ＦＥ  ＢＰＦ１０４の通過帯域が）変化し、同調性をＦＥ  ＢＰＦ１０４に提供する。システムの一部の側面では、容積共振器（図示せず）を用いる。二次のＦＥ  ＢＰＦ１０４が必要な場合は、第２の可変容量コンデンサおよび共振器をＦＥ  ＢＰＦ１０４に加える。
【００１５】
システム１００に適用可能な容積共振器の例には、モノブロック、ストリップライン、マイクロストリップ、および同軸誘電体を搭載した共振器が挙げられるが、これに限定されるものではない。共振周波数を調整するためのコンデンサ、共振器、および強誘電性物質の使用については、出願番号０９／９１２，７５３、名称「Ｔｕｎａｂｌｅ  Ｍｕｌｔｉｐｌｅｘｅｒ（同調型マルチプレクサ）」で、Ｓｔａｎｌｙ  Ｓ．Ｔｏｎｃｉｃｈが２００１年７月２４日に出願した係属中の出願にすべて記載されており、本願出願書に援用される。
【００１６】
ＦＥ  ＢＰＦ  １０４はまた、同調型共振器（図示せず）を用いて使用することができる。同調型共振器は、共振周波数を形成するために配置されるコンデンサおよび誘導器（図示せず）を備える。このコンデンサは、可変容量コンデンサである。可変容量コンデンサは、ライン１０８上の同調電圧に応じた可変誘電率を有する強誘電性物質を用いて構成される。ＦＥ  ＢＰＦ１０４は、コンデンサおよび誘導器に応じた周波数で共振する。コンデンサの容量は、同調電圧に応じて強誘電性物質の誘電率を変化させることによって調整される。コンデンサの容量を調整することで、共振器の共振周波数が（従って、ＦＥ  ＢＰＦ１０４の通過帯域を）変化し、同調性をＦＥ  ＢＰＦ１０４に提供する。
【００１７】
システム１００に適用可能な同調型共振器の例には、モノブロック、ストリップライン、マイクロストリップ、および同軸誘電体を搭載した共振器が挙げられるが、これに限定されるものではない。同調型共振器の使用については、出願番号０９／９２７，１３６、名称「Ｔｕｎａｂｌｅ  Ｍａｔｃｈｉｎｇ  Ｃｉｒｃｕｉｔ（同調型整合回路）」で、Ｓｔａｎｌｙ  Ｓ．Ｔｏｎｃｉｃｈが２００１年８月１０日に出願した係属中の出願に記載されており、本願出願書に援用される。
【００１８】
図３は、本発明による共通のフィルタによるＴＤＭＡ電話通信の送受信方法を示すフローチャートである。図３（および図４下部）の方法では、明確にするために一連の符号が付されたステップとして示されるが、明示されていなければこの符号は順序を示すものではない。この方法は、ステップ３００でスタートする。ステップ３０２では、伝送帯域の周波数が受信帯域の周波数と異なる複数の伝送周波数帯域および受信周波数帯域を選択的に、時間交互にフィルター処理を行う。ステップ３０４では、複数の異なる伝送周波数帯域の中から第１の伝送周波数帯域を通過させるためにフィルター処理を行う。ステップ３０６では、複数の異なる受信周波数帯域の中から第１の受信周波数帯域を通過させるためにフィルター処理を行う。ステップ３０８では、同調電圧信号を受信する。ステップ３１０では、制御信号を受信する。ステップ３１２では、第１の受信周波数帯域内の制御信号に応じて受信した通信を増幅する。ステップ３１４では、第１の伝送周波数帯域内の制御信号に応じて伝送の通信を増幅する。
【００１９】
図４は、図３に示される方法をさらに示すフローチャートである。この方法は、ステップ４００でスタートする。ステップ４０２では、バイアス電圧を受信する。ステップ４０４では、電場を誘電体分離フィルタの共振要素内に形成する。ステップ４０６では、バイアス電圧に応じて誘電率を変化させる。ステップ４０８では、誘電率の変化に応じて共振周波数を調整する。ステップ４１０では、容量を調整する。
【００２０】
共通のフィルタによるＴＤＭＡ電話通信の送受信システムおよび方法は、本発明によって提供される。本発明の実施例は、米国のＴＤＭＡ  ＰＣＳによって可能とされている。しかし、本発明は米国のＴＤＭＡ  ＰＣＳに制限されるものではないと理解されたい。本願明細書において示される技術、方法、および装置は、複数の選択可能な受信チャンネル、複数の選択可能な伝送チャネル、または複数の選択可能な送受信チャンネルを用いた他の時分割システムに適用可能である。本発明は特定の態様に関して記述されているが、その記述は単に本発明のアプリケーションの一例であり、制限を受けるものではない。従って、開示される実施態様の種々の改作および組合せは以下の請求項に包含されるように本発明の範囲内である。本発明の他のバリエーションおよび実施態様は、当業者らによって見出されるであろう。
【図面の簡単な説明】
【００２１】
【図１】本発明による共通のフィルタによる時分割多重アクセス（ＴＤＭＡ）電話通信の送受信システムを示す、概略ブロック図である。
【図２】通信装置においてＴＤＭＡ電話通信を送受信するためにＴｘおよびＲｘチャンネルを提供する本発明のシステムの使用の一例を示すグラフである。
【図３】本発明による共通のフィルタによるＴＤＭＡ電話受信の送受信方法を示すフローチャートである。
【図４】図３に示される方法をさらに示すフローチャートである。
【図５】半二重通信で送受信する無線通信装置における自動スイッチ、伝送帯域通過フィルタ、および受信帯域通過フィルタを示す概略ブロック図である（従来技術）。
【図１】
2006526951.tif 000003
【図２】
2006526951.tif 000004
【図３】
2006526951.tif 000005
【図４】
2006526951.tif 000006
【図５】
2006526951.tif 000007
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
共通のフィルタによる時分割多重アクセス電話通信の送受信方法であって、
同調電圧信号を受信するステップ（３０８）と、
該同調電圧信号に応答して、複数の伝送周波数帯および受信周波数帯を選択的に、時間交互にフィルタリングするステップ（３０２）であって、伝送帯域の周波数が受信帯域の周波数と異なる、ステップと、
複数の異なる伝送周波数帯域の中から第１の伝送周波数帯域を通過させるためのフィルタリングを行うステップ（３０４）と、
複数の異なる受信周波数帯域の中から第１の受信周波数帯域を通過させるためのフィルタリングを行うステップ（３０６）と、
を包含し、該方法は、
制御信号を受信するステップ（３１０）と、
前記制御信号に応じて、前記第１の伝送周波数帯域で伝送する通信を増幅するステップ（３１４）と、
前記第１の伝送周波数帯域の増幅された伝送通信を伝送するステップと、
前記制御信号に応じて、前記第１の受信周波数帯域で受信された通信を増幅するステップ（３１２）と、
前記第１の受信周波数帯域の前記受信された通信を受信するステップと、
を含むことを特徴とする、送受信方法。
【請求項２】
前記同調電圧信号を受信するステップ（３０８）が、バイアス電圧を受信するステップ（４０２）を包含し、
複数の伝送および受信周波数帯域を選択的に、時間交互にフィルタリングするステップ（３０２）が、
誘電体分離フィルタ共振要素に電場を形成するステップ（４０４）と、
前記バイアス電圧に応じて誘電率を変化させるステップ（４０６）と、
前記誘電率の変化に応じて共振周波数を調整するステップ（４０８）と、
容量を調整するステップ（４１０）と、
を包含する、請求項１に記載の方法。
【請求項３】
前記電話通信が、無線通信装置において起こる、請求項１に記載の方法。
【請求項４】
前記複数の伝送周波数帯および受信周波数帯を選択的に、時間交互にフィルタリングするステップ（３０２）が、
受信器の周波数通過帯域とは異なる伝送器の周波数通過帯域および前記受信器の周波数通過帯域を形成することを包含し、前記第１の伝送周波数帯が、前記伝送器の通過帯域を包含し、前記第１の受信周波数帯域が、前記受信器の周波数通過帯域を備える、請求項１に記載の方法。
【請求項５】
共通のフィルタによる時分割多重アクセス電話通信の送受信システムであって、
同調電圧信号を受ける制御入力と、第１の信号ポートおよび第２の信号ポートとを備えた同調型強誘電性帯域通過フィルタ（１０４）であって、同調型強誘電性帯域通過フィルタ（１０４）は、前記同調電圧信号に応じて前記信号ポート間に選択可能な周波数通過帯域を供給する、同調型強誘電性帯域通過フィルタと、
増幅器制御信号を受けるための制御入力、前記同調型強誘電性帯域通過フィルタの第１の信号ポートに接続された入力、および出力を備えたローノイズアンプ（１１０）であって、前記ローノイズアンプ（１１０）は、ローノイズアンプ活性化制御信号に応じて前記同調型強誘電性帯域通過フィルタ（１０４）が供給した通信を増幅し、またＬＮＡ非活性化制御信号に応じて非活性化する、ローノイズアンプと、
増幅器制御信号を受けるための制御入力、入力、および前記同調型強誘電性帯域通過フィルタの第１の信号ポートに接続された出力を備えたパワーアンプ（１１２）であって、前記パワーアンプ（１１２）は、パワーアンプ活性化制御信号に応じて前記同調型強誘電性帯域通過フィルタ（１０４）の伝送のための信号を増幅し、またＰＡ非活性化制御信号に応じて非活性化する、パワーアンプと、
前記同調型強誘電性帯域通過フィルタ（１０４）に同調電圧信号を供給するための出力と、活性化および非活性化制御信号を前記ローノイズアンプ（１１０）に供給する出力と、活性化および非活性化制御信号を前記パワーアンプ（１１２）に供給する出力と、を備えたコントローラ（１０６）と、
を備える、送受信システム。
【請求項６】
前記同調型強誘電性帯域通過フィルタ（１０４）が、
前記同調電圧信号に応じた誘電率を有する強誘電性物質を含む第１の可変容量コンデンサと、固定インダクタンスを有する第１の共振器と、を備え、
前記同調型強誘電性帯域通過フィルタ（１０４）は、前記第１のコンデンサおよび前記第１の共振器に応じた周波数で共振する、請求項５に記載のシステム。
【請求項７】
前記同調型強誘電性帯域通過フィルタ（１０４）が、
前記同調電圧信号に応じた誘電率を有する強誘電性物質を含む第２の可変容量コンデンサと、
固定インダクタンスを有する第２の共振器と、を備え、
前記同調型強誘電性帯域通過フィルタ（１０４）は、前記第２のコンデンサおよび前記第２の共振器に応じた周波数で共振する、請求項６に記載のシステム。
【請求項８】
前記第１および第２のコンデンサが、約マイナス５０℃乃至１００℃の温度範囲内で作動した場合に約８０以上のＱ（ｑｕａｌｉｔｙ  ｆａｃｔｏｒ）を有する、請求項７に記載のシステム。
【請求項９】
前記第１の共振器が容積共振器である、請求項６に記載のシステム。
【請求項１０】
前記容積共振器が、モノブロック、ストリップライン、マイクロストリップ、および同軸誘電体を搭載した共振器からなる群の１つの構成要素である、請求項９に記載のシステム。
【請求項１１】
前記同調型強誘電性帯域通過フィルタが同調型共振器を備え、
前記同調型共振器は、前記同調電圧信号に応じた誘電率を有する強誘電性物質を含む第１の可変容量コンデンサを備え、
前記同調型強誘電性帯域通過フィルタは、前記同調型共振器に応じた周波数で共振する、請求項５に記載のシステム。
【請求項１２】
前記同調型共振器が、モノブロック、ストリップライン、マイクロストリップ、および同軸誘電体を搭載した共振器からなる群の１つの構成要素である、請求項１１に記載のシステム。
【請求項１３】
システムが、ワイヤレス通信装置において組み込まれている、請求項５に記載のシステム。
【手続補正２】
【補正対象書類名】明細書
【補正対象項目名】０００４
【補正方法】変更
【補正の内容】
【０００４】
また、固定同調ＢＰＦもＢＰＦを含む無線装置用の使用可能なアプリケーションを制限してしまう可能性もある。例えば、米国、韓国およびインドなどの異なる地理的領域におけるＰＣＳ帯域は、異なる周波数帯域仕様を有する。従って、複数のＰＣＳ周波数帯域が無線装置でサポートされていれば（例えば、その無線装置が上述の国のうちの複数の国で使用可能であれば）、多重固定同調ＢＰＦが必要になり、上述の不利な点をさらに悪化させる。その無線装置で使用するパワーアンプおよびローノイズアンプがこれらの多重帯域を操作するに十分な帯域幅を有していたとしても、このような多重ＢＰＦが必要になる。
国際特許出願番号ＷＯ  ９４／２７３７６号は、そのため、同調フィルタ回路および方法を開示する。付け加えて、該同調回路は、ＴＤＭＡ通信スキームにおいて動作する携帯電話の一部を含み得、その同調フィルタ回路は、アンテナとスイッチとの間に置かれ、それは、次いで、携帯電話の伝送器回路または受信器回路のいずれかと、選択的に結合することができることを、開示する。
【国際調査報告】
2006526951.tif 000008
2006526951.tif 000009
2006526951.tif 000010